(57)【要約】【課題】伸縮機能付オットマンの下腿部支持体が互いに相対移動する支持体本体と延長体とから成り、支持体本体と延長体の重なり面積が収縮位置では大きく、延伸位置では小さくなる伸縮機能付オットマン用ヒータのワイヤハーネス配策構造において、収縮位置ではワイヤハーネスを支持体本体と延長体との隙間に収容し、延伸位置ではワイヤハーネスを延長体に支持する。それにより、下腿部支持体の伸縮に係わらずワイヤハーネスが下腿部支持体の下方に垂れ下がらないようにする。【解決手段】ワイヤハーネス３１は、支持体本体１０のコネクタ３３と延長体２０のハーネス支持体２１ｂとに支持されて配策されており、ハーネス支持体２１ｂは、延長体２０が収縮位置では、支持体本体１０の前端より後方に位置し、延長体２０が延伸位置では、支持体本体１０の前端より前方で、且つワイヤハーネス３１全体がコネクタ３３より高くなる位置とされている。【選択図】図２
2020175844.tif 000002
【特許請求の範囲】
【請求項１】
着座用シートの座部を成すシートクッションの前端に下方へ格納可能に設けられ、安楽姿勢の着座者の下腿部を支持する下腿部支持体を備え、
該下腿部支持体は、着座者の下腿部を支持する支持体本体と、該支持体本体上に上下方向で重なって配置された延長体とを備え、
該延長体は、前記支持体本体に対する重なり面積が大きい収縮位置と、前記支持体本体上で着座者の下腿部の先端方向に移動して前記支持体本体に対する重なり面積が小さくされた延伸位置とに移動可能とされており、
前記延長体は、着座者の下腿部を温めるヒータと、該ヒータに前記シートクッションの下部側から電源を供給するワイヤハーネスとを備える伸縮機能付オットマン用ヒータのワイヤハーネス配策構造であって、
前記ワイヤハーネスは、前記支持体本体の下面と前記延長体の下面とをそれぞれ支持点として支持されて配策されており、
前記延長体下面の支持点は、前記延長体が収縮位置にあるとき、前記支持体本体の前端より後方に位置して前記延長体下面と前記支持体本体上面との間に前記ワイヤハーネスを収容し、前記延長体が延伸位置にあるとき、前記支持体本体の前端より前方で、且つ前記ワイヤハーネス全体が前記支持体本体の支持点より高くなる位置とされている
伸縮機能付オットマン用ヒータのワイヤハーネス配策構造。
【請求項２】
請求項１において、
前記延長体の支持点に対応して、前記延長体の下面には、前記ワイヤハーネスを前記延長体の下面より上方に収容可能な溝が形成されており、
前記延長体の支持点は、前記ワイヤハーネスを前記溝内に収容した状態とするように構成されている伸縮機能付オットマン用ヒータのワイヤハーネス配策構造。
【請求項３】
請求項１又は２において、
前記延長体の支持点は、前記延長体が延伸位置にあるとき、前記支持体本体の下面の支持点との間に配策された前記ワイヤハーネスに前記ワイヤハーネス自身の重力により生ずる張力を超える張力を付与する位置に設定されている伸縮機能付オットマン用ヒータのワイヤハーネス配策構造。
【請求項４】
請求項１〜３のいずれかにおいて、
前記延長体の支持点は、前記ワイヤハーネスを下方から支持するハーネス支持体により構成されており、
該ハーネス支持体より前記延長体の後端方向の前記ワイヤハーネスは、前記延長体の下面に固定具により固定されており、
前記支持体本体の支持点は、前記支持体本体の下面に固定され、電源回路に接続された電源側ワイヤハーネスのコネクタに接続可能とされたコネクタにより構成されている伸縮機能付オットマン用ヒータのワイヤハーネス配策構造。
【発明の詳細な説明】
【技術分野】
【０００１】
本発明は、自動車、飛行機、船、電車等の乗物用シート、若しくは安楽椅子、映画館用シート等に適用される伸縮機能付オットマン用ヒータのワイヤハーネス配策構造に関する。
【背景技術】
【０００２】
特許文献１には、着座用シートに適用される伸縮機能付オットマンにヒータ（発熱体）を設けたものが開示されている。伸縮機能付オットマンは、安楽姿勢の着座者の下腿部を支持する下腿部支持体が着座者の体格に合わせて下腿部の長手方向に伸縮するように構成されている。下腿部支持体は、着座用シートの座部を成すシートクッションの前端に下方へ格納可能に設けられ、着座者の下腿部を支持する支持体本体と、支持体本体上に上下方向で重なって配置された延長体とを備える。延長体は、支持体本体に対する重なり面積が大きい収縮位置と、支持体本体上で下腿部の先端方向に移動して支持体本体に対する重なり面積が小さくされた延伸位置とに移動可能とされている。このように、下腿部支持体は伸縮可能とされている。ヒータは、支持体本体と延長体に設けられている。
【先行技術文献】
【特許文献】
【０００３】
【特許文献１】特開２０１８−９５０１９号公報
【発明の概要】
【発明が解決しようとする課題】
【０００４】
しかし、延長体のヒータにシートクッション側から電源供給するワイヤハーネスは、延長体が移動可能とされているため、延長体におけるワイヤハーネスの取付位置によって延長体の収縮位置か延伸位置のいずれかでワイヤハーネスに余長が生じる。ワイヤハーネスの余長が下腿部支持体の下方に垂れ下がると、ワイヤハーネスの余長部分がオットマンの外部に露出して見栄えを害し、オットマンの商品性を低下させる問題がある。
【０００５】
本発明の課題は、伸縮機能付オットマンの下腿部支持体が互いに相対移動する支持体本体と延長体とから成り、支持体本体と延長体の重なり面積が収縮位置では大きく、延伸位置では小さくなる伸縮機能付オットマン用ヒータのワイヤハーネス配策構造において、収縮位置ではワイヤハーネスを支持体本体と延長体との隙間に収容し、延伸位置ではワイヤハーネスを延長体に支持することにある。それにより、下腿部支持体の伸縮に係わらずワイヤハーネスの余長部分が下腿部支持体の下方に垂れ下がらないようにして、オットマンの商品性を低下させないようにすることにある。
【課題を解決するための手段】
【０００６】
本発明の第１発明は、着座用シートの座部を成すシートクッションの前端に下方へ格納可能に設けられ、安楽姿勢の着座者の下腿部を支持する下腿部支持体を備え、該下腿部支持体は、着座者の下腿部を支持する支持体本体と、該支持体本体上に上下方向で重なって配置された延長体とを備え、該延長体は、前記支持体本体に対する重なり面積が大きい収縮位置と、前記支持体本体上で着座者の下腿部の先端方向に移動して前記支持体本体に対する重なり面積が小さくされた延伸位置とに移動可能とされており、前記延長体は、着座者の下腿部を温めるヒータと、該ヒータに前記シートクッションの下部側から電源を供給するワイヤハーネスとを備える伸縮機能付オットマン用ヒータのワイヤハーネス配策構造であって、前記ワイヤハーネスは、前記支持体本体の下面と前記延長体の下面とをそれぞれ支持点として支持されて配策されており、前記延長体下面の支持点は、前記延長体が収縮位置にあるとき、前記支持体本体の前端より後方に位置して延長体下面と支持体本体上面との間に前記ワイヤハーネスを収容し、前記延長体が延伸位置にあるとき、前記支持体本体の前端より前方で、且つ前記ワイヤハーネス全体が前記支持体本体の支持点より高くなる位置とされている。
【０００７】
第１発明において、支持体本体及び延長体の各下面の支持点は、ワイヤハーネスを接続するコネクタ、ワイヤハーネスを支持するハーネス支持体、若しくはワイヤハーネスを固定するクリップ等により構成することができる。
【０００８】
第１発明によれば、延長体が収縮位置にあるとき、延長体下面のワイヤハーネスの支持点は、支持体本体の前端より後方に位置する。そのため、ワイヤハーネスを支持体本体と延長体との隙間に収容することができる。一方、延長体が延伸位置にあるとき、延長体下面のワイヤハーネスの支持点は、支持体本体の前端より前方とされ、且つワイヤハーネス全体が支持体本体の支持点より高くなる位置とされている。そのため、ワイヤハーネスを延長体により支持することができる。従って、下腿部支持体の伸縮に係わらずワイヤハーネスが下腿部支持体の下方に垂れ下がらないようにして、オットマンの商品性を低下させないようにすることができる。
【０００９】
本発明の第２発明は、上記第１発明において、前記延長体の支持点に対応して、前記延長体の下面には、前記ワイヤハーネスを前記延長体の下面より上方に収容可能な溝が形成されており、前記延長体の支持点は、前記ワイヤハーネスを前記溝内に収容した状態とするように構成されている。
【００１０】
第２発明によれば、 ワイヤハーネスは、溝内に収容された状態で延長体の支持点により支持されている。そのため、延長体の収縮位置では、延長体と支持体本体との隙間におけるワイヤハーネスの収容スペースを大きく確保することができる。その結果、ワイヤハーネスの収容を容易にすることができる。また、延長体の延伸位置では、ワイヤハーネスを高い位置に支持することができる。その結果、ワイヤハーネスが下腿部支持体の下方に垂れ下がり難くすることができる。
【００１１】
本発明の第３発明は、上記第１又は第２発明において、前記延長体の支持点は、前記延長体が延伸位置にあるとき、前記支持体本体の下面の支持点との間に配策された前記ワイヤハーネスに前記ワイヤハーネス自身の重力により生ずる張力を超える張力を付与する位置に設定されている。
【００１２】
第３発明によれば、延長体が延伸位置にあるとき、延長体の支持点は、一端が支持体本体の支持点に支持されたワイヤハーネスを延長体の前端方向に引っ張った状態とすることができる。その結果、ワイヤハーネスの余長部分が下腿部支持体の下方に垂れ下がり難くすることができる。
【００１３】
本発明の第４発明は、上記第１〜第３発明のいずれかにおいて、前記延長体の支持点は、前記ワイヤハーネスを下方から支持するハーネス支持体により構成されており、該ハーネス支持体より前記延長体の後端方向の前記ワイヤハーネスは、前記延長体の下面に固定具により固定されており、前記支持体本体の支持点は、前記支持体本体の下面に固定され、電源回路に接続された電源側ワイヤハーネスのコネクタに接続可能とされたコネクタにより構成されている。
【００１４】
第４発明において、ハーネス支持体は、板形状、ピン形状、樋形状等の各種形状のものとすることができる。
【００１５】
第４発明によれば、ワイヤハーネスは、延長体の下面には固定具により固定され、それより延長体の前端側がハーネス支持体により支持されている。そのため、ワイヤハーネスの固定と支持の機能を分けて構成することができる。その結果、ワイヤハーネスのハーネス支持体による支持を可及的に上方側で行うことが可能となる。従って、ワイヤハーネスが下腿部支持体の下方に垂れ下がり難い設計を実現することができる。しかも、固定具に加えられるワイヤハーネスの重力をハーネス支持体により一部支持して、固定具に加えられる力を軽減することができる。また、ワイヤハーネスは、支持体本体の下面にコネクタにより固定され支持されている。そのため、電源供給のために必要なコネクタを利用してワイヤハーネスを支持することができる。
【図面の簡単な説明】
【００１６】
【図１】本発明の第１実施形態が適用された着座用シートの部分断面側面図である。
【図２】図１と同様の側面図であり、オットマンが展開位置に移動された状態を示す。
【図３】図１と同様の側面図であり、オットマンが展開位置に移動され、且つオットマンの下腿部支持体の延長体が延伸位置に移動された状態を示す。
【図４】第１実施形態における下腿部支持体を単体で示す斜視図である。
【図５】図４と同様の斜視図であり、下腿部支持体の延長体を除去して示す。
【図６】第１実施形態における延長体を単体で示す下面側からの拡大斜視図である。
【図７】図６のＶＩＩ−ＶＩＩ線断面矢視拡大図である。
【図８】本発明の第２実施形態における延長体を単体で示す下面側からの拡大斜視図である。
【図９】図８のＩＸ−ＩＸ線断面矢視拡大図である。
【発明を実施するための形態】
【００１７】
<第１実施形態の全体構成>
図１は、本発明の第１実施形態が適用された自動車等の着座用シート（以下、単にシートという）１を示す。図中、シート１に着座した着座者から見た各方向を矢印により示す。以下の説明において、方向に関する記述は、この方向を基準として行うものとする。以下、他の図においても同様である。
【００１８】
シート１は、座部を成すシートクッション２と、背凭れを成すシートバック３とを備える。シートクッション２の前端部には、オットマン４を備える。オットマン４は、シートクッション２の前端部に下腿部支持体５が上端部をヒンジ中心として前後方向に揺動可能に取付けて構成されている。係る揺動は、シートクッション２の前端下部と下腿部支持体５の上端部との間に揺動機構（図示略）が設けられ、その揺動機構をモータ（図示略）により駆動することにより行われる。
【００１９】
オットマン４は、図２のように下腿部支持体５を展開位置とすることにより、安楽姿勢の着座者の下腿部を下方から支持する状態となる。一方、着座者が着座姿勢でシート１に着座するときは、図１のように下腿部支持体５を格納位置として、下腿部支持体５が着座姿勢の邪魔にならないようにしている。
【００２０】
<下腿部支持体の構成>
図１〜４のように、下腿部支持体５は、支持体本体１０と延長体２０とを備える。両者は上下方向に重ねて構成され、前後方向に相対移動可能とされている。図５のように、支持体本体１０は、天板１１、一対の側板１２、及び前板１３を備えた樹脂製の枠構造とされており、この枠構造の後方下部には、上述の揺動機構及びモータが内蔵されている。
【００２１】
図４のように、延長体２０は、支持体本体１０の天板１１と同程度の面積を有する樹脂板製のフレーム２１を備える。図４では図示を省略したが、フレーム２１の上には、クッション体としてのパッド及び表皮が被せられている。また、図１〜３のように、パッドと表皮との間にはヒータ２３が介挿されている。ヒータ２３は、着座者の下腿部を温めるものとして設けられている。
【００２２】
図５のように、支持体本体１０の天板１１と、一対の側板１２とに挟まれた左右の角部には、筒形状の鞘体１４がそれぞれ前後方向に延びて設けられている。また、図４、６のように、延長体２０のフレーム２１の左右両側には、鞘体１４に挿入可能な摺動体２２がそれぞれ前後方向に延びて設けられている。摺動体２２が鞘体１４に挿入されることにより、支持体本体１０に対する延長体２０の相対移動が案内される。
【００２３】
図３のように、延長体２０が支持体本体１０に対して前方、即ち着座者の下腿部の先端方向に移動して延伸位置となると、脚の長い着座者の下腿部を快適に支持可能となる。延長体２０は、図２の収縮位置と図３の延伸位置との間で、任意の位置に移動可能とされている。そのため、延長体２０の位置を着座者の好みに応じて移動することができる。延長体２０の移動は、支持体本体１０に設けられたモータ（図示略）により行われる。
【００２４】
<ワイヤハーネスの配策構造>
図１〜３のように、延長体２０に設けられたヒータ２３への電源供給は、シートクッション２の下部側から配策された電源側ワイヤハーネス３２及びワイヤハーネス３１により行われる。ヒータ２３は、ワイヤハーネス３１の一端に接続部３５により接続されている。また、電源側ワイヤハーネス３２及びワイヤハーネス３１は、コネクタ３３により接続されている。
【００２５】
ワイヤハーネス３１は、延長体２０のフレーム２１の下面のハーネス支持体２１ｂと、支持体本体１０の天板１１の下面のコネクタ３３とをそれぞれ支持点として支持されて配策されている。また、ハーネス支持体２１ｂと接続部３５との間でワイヤハーネス３１は、クリップ（本発明の固定具に相当）３４によりフレーム２１に固定されている。電源側ワイヤハーネス３２及びワイヤハーネス３１は、接続部３５及びコネクタ３３の部分を除いて保護パイプとしてのコルゲートチューブにより覆われている。
【００２６】
図２のように、延長体２０が支持体本体１０の上部に重なる収縮位置にあるとき、ハーネス支持体２１ｂは、支持体本体１０の天板１１の前端より後方に位置する。具体的には、ワイヤハーネス３１が支持体本体１０の天板１１の前端部を挟むように周り込んで、フレーム２１と天板１１との隙間に収容される。このような配置を実現するように、コネクタ３３、ハーネス支持体２１ｂ、クリップ３４及び接続部３５の位置を設定している。天板１１を挟むように周り込むワイヤハーネス３１は、図５のように天板１１の前端に形成された切欠１１ａを通過している。切欠１１ａを形成することによりワイヤハーネス３１が天板１１の前端に接触しないようにされている。この結果、シート１が振動されたときワイヤハーネス３１と天板１１との間で干渉音が発生するのを抑制することができる。このようにワイヤハーネス３１を配置することにより、ワイヤハーネス３１に余長は発生しない。
【００２７】
図３のように、延長体２０が支持体本体１０の上部から前方に移動して延伸位置にあるとき、ハーネス支持体２１ｂは、支持体本体１０の天板１１の前端より前方に位置する。しかも、このとき、ハーネス支持体２１ｂは、コネクタ３３及びクリップ３４に固定されたワイヤハーネス３１を前方に引っ張ってワイヤハーネス３１の高さがコネクタ３３より高い位置に保持されるようにしている。具体的には、ハーネス支持体２１ｂは、延長体２０が延伸位置にあるとき、コネクタ３３とクリップ３４との間に配策されたワイヤハーネス３１にワイヤハーネス３１自身の重力により生じる張力を超える張力を付与する前方位置に設定されている。この結果、ワイヤハーネス３１はコネクタ３３より下方に垂れ下がらないようにされている。
【００２８】
図６のように、延長体２０のフレーム２１の下面は、軽量化しながら必要強度を確保するためハニカムコア構造とされている。その構造の中で、ワイヤハーネス３１を配策する部位には、ワイヤハーネス３１を収容するための溝２１ａが形成されている。そして、この溝２１ａ内にハーネス支持体２１ｂがフレーム２１と一体に形成され、溝２１ａ内に収容されたワイヤハーネス３１を支持するようにされている。ハーネス支持体２１ｂは、その下面がハニカムコアの下端面に沿った平面形状を成し、上面がワイヤハーネス３１にダメージを与えないように円弧面で形成されている。溝２１ａの底面は、後方に向けて溝の深さが浅くなるように傾斜面で形成されている。図１〜３のように、この傾斜面の途中に接続部３５が配置されている。そのため、溝２１ａ内に挿入されているワイヤハーネス３１と溝２１ａの外に配置されたヒータ２３とが接続部３５で接続されて傾斜面に沿って大きく屈曲されず無理な力を受けることなく配置される。
【００２９】
図６、７のように、溝２１ａの底面には、貫通孔２１ｃが穿設されており、この貫通孔２１ｃにクリップ３４が挿入されて、クリップ３４によりワイヤハーネス３１が固定されている。クリップ３４も溝２１ａ内に収容されているため、クリップ３４の先端の支持体本体１０の天板１１側への突出量を少なくすることができ、延長体２０と天板１１との上下隙間を小さくすることができる。
【００３０】
<第１実施形態の作用、効果>
第１実施形態によれば、延長体２０が収縮位置にあるとき、ハーネス支持体２１ｂは、支持体本体１０の天板１１の前端より後方に位置する。そのため、ワイヤハーネス３１を支持体本体１０と延長体２０との隙間に収容することができる。一方、延長体２０が延伸位置にあるとき、ハーネス支持体２１ｂは、支持体本体１０の天板１１の前端より前方とされ、且つワイヤハーネス３１全体がコネクタ３３より高くなる位置とされている。そのため、下腿部支持体５の伸縮に係わらずワイヤハーネス３１が下腿部支持体５の下方に垂れ下がらないようにして、オットマン４の商品性を低下させないようにすることができる。
【００３１】
第１実施形態によれば、ワイヤハーネス３１は、溝２１ａ内に収容された状態でハーネス支持体２１ｂにより支持されている。そのため、延長体２０の収縮位置では、延長体２０と支持体本体１０との隙間におけるワイヤハーネス３１の収容スペースを大きく確保することができる。その結果、ワイヤハーネス３１の収容を容易にすることができる。また、延長体２０の延伸位置では、ワイヤハーネス３１を高い位置に支持することができる。その結果、ワイヤハーネス３１が下腿部支持体５の下方に垂れ下がり難くすることができる。
【００３２】
第１実施形態によれば、ワイヤハーネス３１は、延長体２０の下面にはクリップ３４により固定され、それより延長体２０の前端側がハーネス支持体２１ｂにより支持されている。そのため、ワイヤハーネス３１の固定と支持の機能を分けて構成することができる。その結果、ワイヤハーネス３１のハーネス支持体２１ｂによる支持を可及的に上方側で行うことが可能となる。従って、ワイヤハーネス３１が下腿部支持体５の下方に垂れ下がり難い設計を実現することができる。しかも、クリップ３４に加えられるワイヤハーネス３１の重力をハーネス支持体２１ｂにより一部支持して、クリップ３４に加えられる力を軽減することができる。また、ワイヤハーネス３１は、支持体本体１０の下面にコネクタ３３により固定され支持されている。そのため、電源供給のために必要なコネクタ３３を利用してワイヤハーネス３１を支持することができる。
【００３３】
<第２実施形態>
図８、９は、本発明の第２実施形態を示す。第２実施形態が第１実施形態に対して特徴とする点は、第１実施形態におけるクリップ３４に代えてハーネス嵌合溝２１ｄを採用した点である。その他の構成は、第２実施形態においても第１実施形態と同一であり、同一部分の再度の説明は省略する。
【００３４】
図８、９のように、ハーネス支持体２１ｂより後側の溝２１ａの底部にワイヤハーネス３１を受け入れる大きさのハーネス嵌合溝２１ｄが後方に延びて形成されている。ハーネス嵌合溝２１ｄと溝２１ａとの境界部には、ハーネス嵌合溝２１ｄ内に嵌合されたワイヤハーネス３１が抜け出るのを抑制するように溝２１ａ内に突出して一対の爪２１ｅが形成されている。
【００３５】
ワイヤハーネス３１をハーネス嵌合溝２１ｄに嵌合させることにより、第１実施形態におけるクリップ３４と同様に、ワイヤハーネス３１を溝２１ａ内に固定することができる。
【００３６】
<他の実施形態>
以上、特定の実施形態について説明したが、本発明は、それらの外観、構成に限定されず、種々の変更、追加、削除が可能である。例えば、上記実施形態では、本発明を自動車のシートに適用したが、飛行機、船、電車等に搭載の乗物用シート、若しくは安楽椅子、映画館用シート等に適用しても良い。
【符号の説明】
【００３７】
１      着座用シート（シート）
２      シートクッション
３      シートバック
４      オットマン
５      下腿部支持体
１０    支持体本体
１１    天板
１１ａ  切欠
１２    側板
１３    前板
１４    鞘体
２０    延長体
２１    フレーム
２１ａ  溝
２１ｂ  ハーネス支持体
２１ｃ  貫通孔
２１ｄ  ハーネス嵌合溝
２１ｅ  爪
２２    摺動体
２３    ヒータ
３１    ワイヤハーネス
３２    電源側ワイヤハーネス
３３    コネクタ
３４    クリップ（固定具）
３５    接続部
【図１】
2020175844.tif 000003
【図２】
2020175844.tif 000004
【図３】
2020175844.tif 000005
【図４】
2020175844.tif 000006
【図５】
2020175844.tif 000007
【図６】
2020175844.tif 000008
【図７】
2020175844.tif 000009
【図８】
2020175844.tif 000010
【図９】
2020175844.tif 000011